(57)【要約】【課題】 隣接する吸音パネルの間、隣接する防音壁の間、および吸音パネルと道床の間の隙間を埋めて音漏れを防ぐ隙間埋め構造を提供する。【解決手段】  隣接するパネル(1)(2)の隙間部において、一方のパネル(1)の隣接側部の音源側または反音源側に、パネル間の隙間および他方のパネル(2)の隣接側部を覆う隠し板(15)が設けられるとともに、隠し板(15)と他方のパネル(2)の隣接側部との間に、間隙が設けられている。この構造によって、隠し板(15)はパネル間の隙間における音波の直進を妨げる。【選択図】    図１
2014015837.tif 000002
【特許請求の範囲】
【請求項１】
隣接するパネル(1)(2)の隙間部において、一方のパネル(1)の隣接側部の音源側または反音源側に、パネル間の隙間および他方のパネル(2)の隣接側部を覆う隠し板(15)が設けられるとともに、隠し板(15)と他方のパネル(2)の隣接側部との間に、間隙が設けられており、隠し板(15)はパネル間の隙間における音波の直進を妨げる、隙間埋め構造。
【請求項２】
隣接するパネル(1)(2)の隙間部において、パネル(1)(2)の対向する隣接側部にそれぞれ、平板ないしは屈曲板からなるじゃま板(16)(17)が小間隙をおいて設けられ、じゃま板(16)(17)はパネル間の隙間における音波の直進を妨げる、隙間埋め構造。
【請求項３】
隣接するパネル(1)(2)の隙間部において、一方のパネル(1)の隣接側面に他方のパネル(2)に向かって突出する凸部(1a)が形成され、他方のパネル(2)の隣接側面に、凸部(1a)に合致する凹部(2a)が形成され、凸部(1a)と凹部(2a)の間に小間隙が置かれ、該小間隙における音波の直進が妨げられている、隙間埋め構造。
【請求項４】
隣接するパネル(1)(2)の隙間部において、パネル(1)(2)の隣接側部にそれぞれ凹条(19)が対向状に形成され、これら凹条(19)に両側部を嵌め込む遮音板(20)が設けられているとともに、遮音板(20)と凹条(19)との間に間隙が設けられており、遮音板(20)はパネル間の隙間部における音波の直進を妨げる、隙間埋め構造。
【請求項５】
隣接するパネル(1)(2)の隙間部において、断面クランク状に屈曲した遮音板(20)が、その中間垂直部(20a)が隙間内にかつ両端水平部(20b)が隙間部の音源側および反音源側にそれぞれ来るように、隙間部に配置されているとともに、遮音板(20)の中間垂直部(20a)および遮音板(20)の両端水平部(20b)と各パネル(2)との間に間隙が設けられており、遮音板(20)はパネル間の隙間における音波の直進を妨げる、隙間埋め構造。
【請求項６】
パネル(1)の下端部と道床(32)の隙間部において、該隙間の音源側または反音源側に、上面がパネル(1)の下端面よりも上方にある遮蔽壁(39)が道床に立設されているとともに、遮蔽壁(39)のパネル対向面とパネル(1)の下端部の遮蔽壁対向面との間に間隙が設けられており、遮蔽壁(39)は、パネル(1)の下端部と道床(32)の隙間における音波の直進を妨げる、隙間埋め構造。
【発明の詳細な説明】
【技術分野】
【０００１】
本発明は、新幹線のような高速鉄道の騒音を低減する吸音パネル及び防音壁に関し、より詳しくは、隣接する吸音パネル及び防音壁の間の隙間を埋める隙間埋め構造に関する。
【背景技術】
【０００２】
鉄道軌道において生じる騒音には、車両上部で発生する集電系音（上部音という）と車輛下部で発生する転動音や機器音（下部音という）、車両の空気摩擦により生じる空力音という複数の音源があり、それぞれが防音壁と車輌の間で多重反射をして防音壁外部に漏れる。特に新幹線のような高速鉄道においては、下部音を主体とする防音壁より低い位置で発生する騒音が特に問題となっている。
【０００３】
このような騒音問題を解決するものとして、特許文献１記載のような吸音パネルが提案された。すなわち、吸音パネル(51)は、図１８に示すように、アルミニウムフレームからなる筺体(53)の内部において、筺体(53)を既存の防音壁(56)に固定する固定部材(55)の音源側の面に複数枚の傾斜反射板(52)が上下多段状に設けられ、筺体(53)内の各反射板間の空間に吸音材としてグラスウール(54)が充填されたものである。
【０００４】
この構造の吸音パネルは隣接するパネルが互いに密接しておれば、音漏れの恐れはないが、実際の施工ではどうしても隣接パネルの間やパネルと道床の間に数ｍｍから最大１０ｃｍの隙間が生じることが避けられない。非特許文献１に記載されているように、吸音パネルの性能が向上するに連れてこのような隙間の処理が重要視されてきている。
【０００５】
従来、図１９に示すように、隣接する吸音パネル(61)(62)(63)の間にゴム製の隙間埋め部材(64)を介在させ、隣接パネルどうしを押し付けて隙間埋め部材(64)を潰してパネル間に固定し、これらパネルにわたって複数本の胴縁(65)をボルト(66)止めすることで、パネル間の隙間を埋めていた。
【０００６】
しかし、この施工法では、操作が面倒である上に、パネルを１枚だけ交換したいときには、隙間に余裕がないため、パネルの出し入れが困難で交換ができないという問題がある。また、胴縁が温度変化により伸縮するため隙間幅が変わることで吸音パネル間に隙間が生じ、またはゴム製の隙間埋め部材が徐々に劣化することで吸音パネル間に隙間が生じ、そこから音漏れが生じるために、吸音パネルの防音効果が低下するという問題もある。さらに防音パネルと道床の間にも隙間があり、同様に防音効果を低下する一因となっている。
【先行技術文献】
【特許文献】
【０００７】
【特許文献１】特開２００７−２５５０９８号公報
【非特許文献】
【０００８】
【非特許文献１】「公害防止の技術と法規 騒音編」 公害防止の技術と法規 編集委員会編 第９４〜９６頁、第１２４〜１２６頁
【発明の概要】
【発明が解決しようとする課題】
【０００９】
本発明は、上述した従来技術の問題を解決することができる、隣接する吸音パネルの間、隣接する防音壁の間、および吸音パネルと道床の間の隙間を埋めて音漏れを防ぐ隙間埋め構造を提供することを目的とする。
【課題を解決するための手段】
【００１０】
請求項１に係る発明は、
隣接するパネル(1)(2)の隙間部において、一方のパネル(1)の隣接側部の音源側または反音源側に、パネル間の隙間および他方のパネル(2)の隣接側部を覆う隠し板(15)が設けられるとともに、隠し板(15)と他方のパネル(2)の隣接側部との間に、間隙が設けられており、隠し板(15)はパネル間の隙間における音波の直進を妨げる、隙間埋め構造である。
【００１１】
請求項２に係る発明は、
隣接するパネル(1)(2)の隙間部において、パネル(1)(2)の対向する隣接側部にそれぞれ、平板ないしは屈曲板からなるじゃま板(16)(17)が小間隙をおいて設けられ、じゃま板(16)(17)はパネル間の隙間における音波の直進を妨げる、隙間埋め構造である。
【００１２】
請求項３に係る発明は、
隣接するパネル(1)(2)の隙間部において、一方のパネル(1)の隣接側面に他方のパネル(2)に向かって突出する凸部(1a)が形成され、他方のパネル(2)の隣接側面に、凸部(1a)に合致する凹部(2a)が形成され、凸部(1a)と凹部(2a)の間に小間隙が置かれ、該小間隙における音波の直進が妨げられている、隙間埋め構造である。
【００１３】
請求項４に係る発明は、
隣接するパネル(1)(2)の隙間部において、パネル(1)(2)の隣接側部にそれぞれ凹条(19)が対向状に形成され、これら凹条(19)に両側部を嵌め込む遮音板(20)が設けられているとともに、遮音板(20)と凹条(19)との間に間隙が設けられており、遮音板(20)はパネル間の隙間部における音波の直進を妨げる、隙間埋め構造である。
【００１４】
請求項５に係る発明は、
隣接するパネル(1)(2)の隙間部において、断面クランク状に屈曲した遮音板(20)が、その中間垂直部(20a)が隙間内にかつ両端水平部(20b)が隙間部の音源側および反音源側にそれぞれ来るように、隙間部に配置されているとともに、遮音板(20)の中間垂直部(20a)および遮音板(20)の両端水平部(20b)と各パネル(2)との間に間隙が設けられており、遮音板(20)はパネル間の隙間における音波の直進を妨げる、隙間埋め構造である。
【００１５】
請求項６に係る発明は、
パネル(1)の下端部と道床(32)の隙間部において、該隙間の音源側または反音源側に、上面がパネル(1)の下端面よりも上方にある遮蔽壁(39)が道床に立設されているとともに、遮蔽壁(39)のパネル対向面とパネル(1)の下端部の遮蔽壁対向面との間に間隙が設けられており、遮蔽壁(39)は、パネル(1)の下端部と道床(32)の隙間における音波の直進を妨げる、隙間埋め構造である。
【発明の効果】
【００１６】
本発明の隙間埋め構造によれば、従来技術における問題点を全て解決することが可能となる。
【００１７】
すなわち、従来、パネルの操作が面倒である上に、パネルを１枚だけ交換したいときには、隙間に余裕がないため、パネルの出し入れが困難で交換できなかったが、本発明の隙間埋め構造の採用により、容易な交換が可能となる。また、胴縁の温度変化に伴う伸縮によるパネル隙間幅の変化や、またはゴム製の隙間埋め部材の劣化による隙間幅の拡大により、音漏れが生じ、防音パネルの効果が低下するという問題があったが、本発明の隙間埋め構造により、低下の問題は解消できる。さらに、パネル下部と道床との隙間の問題についても同様に解消することができる。
【図面の簡単な説明】
【００１８】
【図１】実施例１の隙間埋め構造を示す隣接パネルの隙間部における水平断面図である。
【図２ａ】実施例１の隙間埋め構造の変形例を示す隣接パネルの隙間部における水平断面図である。
【図２ｂ】実施例１の隙間埋め構造の変形例を示す隣接パネルの隙間部における正面図である。
【図３】実施例２の隙間埋め構造を示す隣接パネルの隙間部における水平断面図である。
【図４】実施例２の隙間埋め構造を示す隣接パネルの隙間部における水平断面図である。
【図５】実施例２の隙間埋め構造を示す隣接パネルの隙間部における水平断面図である。
【図６】実施例２の隙間埋め構造を示す隣接パネルの隙間部における水平断面図である。
【図７】実施例３の隙間埋め構造の変形例を示す隣接パネルの隙間部における水平断面図である。
【図８】実施例３の隙間埋め構造の変形例を示す隣接パネルの隙間部における水平断面図である。
【図９】実施例３の隙間埋め構造の変形例を示す隣接パネルの隙間部における水平断面図である。
【図１０】実施例３の隙間埋め構造の変形例を示す隣接パネルの隙間部における水平断面図である。
【図１１】実施例３の隙間埋め構造の変形例を示す隣接パネルの隙間部における水平断面図である。
【図１２】実施例３の隙間埋め構造の変形例を示す隣接パネルの隙間部における水平断面図である。
【図１３】実施例４の隙間埋め構造の変形例を示す隣接パネルの隙間部における水平断面図である。
【図１４】実施例４の隙間埋め構造の変形例を示す隣接パネルの隙間部における水平断面図である。
【図１５】実施例４の隙間埋め構造の変形例を示す隣接パネルの隙間部における水平断面図である。
【図１６】実施例５の隙間埋め構造の変形例を示す隣接パネルの隙間部における水平断面図である。
【図１７】実施例６の隙間埋め構造の変形例を示す隣接パネルの隙間部における水平断面図である。
【図１８】従来の吸音パネルを示す垂直縦断面図である。
【図１９】従来の吸音パネルの隙間埋め構造を示す胴縁側から見た正面図である。
【発明を実施するための形態】
【００１９】
つぎに、本発明を具体的に説明するために、本発明の実施例をいくつか挙げる。
【００２０】
実施例１
図１において、隣接するパネル(1)(2)の隙間部にて、パネル(1)(2)のうち一方のパネル(1)の隣接側部の音源側に、パネル間の隙間および他方のパネル(2)の隣接側部を覆う隠し板(15)が固定されている。隠し板(15)と他方のパネル(2)の隣接側部との間には間隙が設けられて、隠し板(15)は他方のパネル(2)には固定されず、該隙間を大きさが変化しても常に隙間を覆うようになされている。隠し板(15)はパネル間の隙間における音波の直進を防いでいる。
【００２１】
図２aおよび図２ｂにおいて、隣接するパネル(1)(2)の隙間部にて、一方のパネル(1)の隣接側部の音源側に、パネル間の隙間および他方のパネル(2)の隣接側部を覆う隠し板(15)が固定されている。隠し板(15)と他方のパネル(2)の隣接側部との間にはプラスチック発泡体などからなる緩衝材(46)が介在させられている。こうして、隠し板(15)は隣接方向に設置位置調節可能な状態でパネル(1)(2)の隣接側部に取り付けられている。隠し板(15)はパネル間の隙間における音波の直進を防いでいる。この構造によって、隣接するパネル(1)(2)の隙間が変動しても該隙間は隠し板(15)によって常に塞がれている。
【００２２】
実施例２
図３において、隣接するパネル(1)(2)の隙間部にて、一方のパネル(1)の隣接側部の音源側、および他方のパネル(2)の隣接側部の反音源側にそれぞれ隣接相手に向かって突出状に、平板からなるじゃま板(16)(17)が設けられている。各じゃま板(16)(17)の先端と隣接相手との間には小間隔が置かれている。この構造によって、じゃま板(16)(17)はパネル間の隙間における音波の直進を防いでいる。
【００２３】
図４において、隣接するパネル(1)(2)の隙間部にて、一方のパネル(1)の隣接側部の音源側、および他方のパネル(2)の隣接側部の反音源側にそれぞれ隣接相手に向かって突出状に、断面Ｌ字状のじゃま板(16)(17)が設けられている。各じゃま板(16)(17)の垂直部どうしは小間隔をおいて食い違い状に配置されている。この構造によって、じゃま板(16)(17)はパネル間の隙間における音波の直進を防いでいる。
【００２４】
図５において、隣接するパネル(1)(2)の隙間部にて、一方のパネル(1)の隣接側部の音源側、および他方のパネル(2)の隣接側部の反音源側にそれぞれ隣接相手に向かって、平板からなる傾斜状のじゃま板(16)(17)が小間隙をおいて食い違い状に設けられている。この構造によって、じゃま板(16)(17)はパネル間の隙間における音波の直進を防いでいる。
【００２５】
図６において、隣接するパネル(1)(2)の隙間部にて、一方のパネル(1)の隣接側部の音源側、および他方のパネル(2)の隣接側部の反音源側にそれぞれ隣接相手に向かって、平板からなるじゃま板(16)(17)が小間隙をおいて設けられている。パネル(1)(2)の隙間にはじゃま板(16)(17)の間にプラスチック発泡体などからなる緩衝材(46)が介在させられている。この構造によって、じゃま板(16)(17)および緩衝材(46)はパネル間の隙間における音波の直進を防いでいる。
【００２６】
実施例３
図７において、隣接するパネル(1)(2)の隙間部にて、一方のパネル(1)の隣接側面が傾斜状に形成されることにより凸部(1a)が設けられている。他方のパネル(2)の隣接側面がパネル(1)の隣接側面の上記傾斜に合致する傾斜状に形成されることにより凹部(2a)が設けられている。一方のパネル(1)の凸部(1a)を形成する傾斜面と他方のパネル(2)の凹部(2a)を形成する傾斜面との間には小隙間が置かれている。この構造によって、小間隙における音波の直進が妨げられている。
【００２７】
図８において、隣接するパネル(1)(2)の隙間部にて、一方のパネル(1)の隣接側面に断面三角形の凸部(1a)が形成され、他方のパネル(2)の隣接側面に、パネル(1)の隣接側面の上記凸形状に合致する形状の凹部(2a)が形成されている。一方のパネル(1)の凸部(1a)と他方のパネル(2)の凹部(2a)の間には小隙間が置かれている。この構造によって、小間隙における音波の直進が妨げられている。
【００２８】
図９において、隣接するパネル(1)(2)の隙間部にて、一方のパネル(1)の隣接側面に断面円弧形の凸部(1a)が形成され、他方のパネル(2)の隣接側面に、パネル(1)の隣接側面の上記凸形状に合致する形状の凹部(2a)が形成されている。一方のパネル(1)の凸部(1a)と他方のパネル(2)の凹部(2a)の間には小隙間が置かれている。この構造によって、小間隙における音波の直進が妨げられている。
【００２９】
図１０において、隣接するパネル(1)(2)の隙間部にて、一方のパネル(1)の隣接側面の音源側に凸部(1a)が形成され、他方のパネル(2)の隣接側面の音源側に、パネル(1)の隣接側面の上記凸形状に合致する形状の凹部(2a)が形成されている。一方のパネル(1)の凸部(1a)と他方のパネル(2)の凹部(2a)の間には小隙間が置かれている。この構造によって、小間隙における音波の直進が妨げられている。
【００３０】
図１１において、隣接するパネル(1)(2)の隙間部にて、一方のパネル(1)の隣接側面に断面長方形の凸部(1a)が形成され、他方のパネル(2)の隣接側面に、パネル(1)の隣接側面の上記凸形状に合致する形状の凹部(2a)が形成されている。一方のパネル(1)の凸部(1a)と他方のパネル(2)の凹部(2a)の間には小隙間が置かれている。この構造によって、小間隙における音波の直進が妨げられている。
【００３１】
図１２において、隣接するパネル(1)(2)の隙間部にて、一方のパネル(1)の隣接側面に断面櫛歯形の凸部(1a)が形成され、他方のパネル(2)の隣接側面に、パネル(1)の隣接側面の上記凸形状に合致する形状の凹部(2a)が形成されている。一方のパネル(1)の凸部(1a)と他方のパネル(2)の凹部(2a)の間には小隙間が置かれている。すなわち一方のパネル(1)の凸部(1a)と他方のパネル(2)の凸部が食い違い状に設けられている。この構造によって、小間隙における音波の直進が妨げられている。
【００３２】
実施例４
図１３において、隣接するパネル(1)(2)の隙間部にて、パネル(1)(2)の隣接側部の各対抗面にそれぞれ凹条(19)が対向状に形成されている。これら凹条(19)に両側部を嵌め込む遮音板(20)が設けられている。この構造によって、隣接するパネル(1)(2)の隙間が変動しても該隙間は遮音板(20)によって常に塞がれている。遮音板(20)はパネル間の隙間における音波の直進を防いでいる。
【００３３】
図１４において、隣接するパネル(1)(2)の隙間部にて、パネル(1)(2)の隣接側部の音源側にそれぞれ凹条(19)が対向状に形成されている。これら凹条(19)に両側部を嵌め込む遮音板(20)が設けられている。この構造によって、隣接するパネル(1)(2)の隙間が変動しても該隙間は遮音板(20)によって常に塞がれている。遮音板(20)はパネル間の隙間における音波の直進を防いでいる。
【００３４】
図１５において、隣接するパネル(1)(2)の隙間部にて、パネル(1)の隣接側部の音源側に凹条(19)が反音源側開口状に形成され、パネル(2)の隣接側部の反音源側に凹条(19)が音源側開口状に形成されている。これら凹条(19)に亘って遮音板(20)が設けられている。遮音板(20)は、断面クランク状に屈曲しており、両側部をそれぞれ凹条(19)に嵌め込んでいる。遮音板(20)はパネル間の隙間における音波の直進を防いでいる。この構造によって、隣接するパネル(1)(2)の隙間が変動しても該隙間は遮音板(20)によって常に塞がれている。
【００３５】
実施例５
図１６において、隣接するパネル(1)(2)の隙間部にて、断面クランク状に屈曲した遮音板(20)が、その中間垂直部(20a)が隙間内にかつ両端水平部(20b)が隙間部の音源側および反音源側にそれぞれ来るように、隙間部に配置されている。遮音板(20)はパネル間の隙間における音波の直進を防いでいる。この構造によって、隣接するパネル(1)(2)の隙間が変動しても該隙間は遮音板(20)によって常に塞がれている。
【００３６】
実施例６
図１７において、パネル(1)の下端部と道床(32)の隙間部にて、該隙間の音源側に該隙間を隠すように遮蔽壁(39)が道床に立設されている。遮蔽壁(39)は、パネル(1)の下端部と道床(32)の隙間における音波の直進を防いでいる。この構造によって、パネル(1)の下端部と道床(32)の隙間が遮蔽壁(39)によって常に塞がれている。
【符号の説明】
【００３７】
(1)(2) パネル
(15) 隠し板
(16)(17) じゃま板
(1a) 凸部
(2a) 凹部
(19) 凹条
(20) 遮音板
(32) 道床
(39) 遮蔽壁
(46) 緩衝材
【図１】
2014015837.tif 000003
【図２ａ】
2014015837.tif 000004
【図２ｂ】
2014015837.tif 000005
【図３】
2014015837.tif 000006
【図４】
2014015837.tif 000007
【図５】
2014015837.tif 000008
【図６】
2014015837.tif 000009
【図７】
2014015837.tif 000010
【図８】
2014015837.tif 000011
【図９】
2014015837.tif 000012
【図１０】
2014015837.tif 000013
【図１１】
2014015837.tif 000014
【図１２】
2014015837.tif 000015
【図１３】
2014015837.tif 000016
【図１４】
2014015837.tif 000017
【図１５】
2014015837.tif 000018
【図１６】
2014015837.tif 000019
【図１７】
2014015837.tif 000020
【図１８】
2014015837.tif 000021
【図１９】
2014015837.tif 000022